(57)【特許請求の範囲】
【請求項１】
ランプ口金より突出したランプピンを前面より挿着させる導電部材を収納したソケット本体と、このソケット本体の外側面および裏面に沿って装着されて両端部のランプ支持部が前記前面より前方に突出したコ字形であって前記ランプ支持部で前記ランプ口金を挟持するランプ保持ばねとを備え、
前記ランプ保持ばねは、前記両端部の先端に前記ランプ支持部を設け、前記両端部の先端から中間部寄りの両側に前記ソケット本体に装着するための一対の係止爪を有し、
前記ソケット本体は、前記外側面に前記ランプ保持ばねの前記両端部を沈める溝を形成し、前記溝の底面に前記一対の係止爪を抜け止め係止させる係止部を形成し、前記係止部に被さるように前記溝の両側縁に前記溝上に張り出す一対の押え片を形成し、前記一対の押さえ片の相互間隔を前記ランプ支持部の幅よりも大きくしたランプソケット。
【請求項２】
前記ランプ保持ばねが前記ソケット本体の最大外側面よりも内側となるように前記ソケット本体に位置決めされている請求項１記載のランプソケット。
【請求項３】
前記一対の係止爪の間隔を前記ランプ支持部の幅よりも大きくした請求項１または請求項２記載のランプソケット。
【請求項４】
前記ランプ保持ばねの二対の係止爪を前記ランプ保持ばねの中間部から同じ距離に設けた請求項３記載のランプソケット。
【請求項５】
前記ランプ保持ばねの中間部を前記ソケット本体側に突出するように湾曲した請求項１または請求項２記載のランプソケット。
【請求項６】
前記ランプ保持ばねの前記中間部の幅をランプ支持部の幅より細くした請求項５記載のランプソケット。
【請求項７】
請求項１、請求項２、請求項３、請求項４、請求項５または請求項６記載のランプソケットを有する照明器具。
【発明の詳細な説明】
【０００１】
【発明の属する技術分野】
この発明は、ランプソケットおよび照明器具に関するものである。
【０００２】
【従来の技術】
従来例（例えば特開平９−６９３８２号）は、ランプ口金の両側を挟持するランプ保持ばねをソケット本体内に組み込み、ランプ保持ばねと導電部材とを絶縁する絶縁部材をその間に介在していた。
【０００３】
【発明が解決しようとする課題】
しかし、このランプソケットは、ランプ口金のランプピンと接触するソケット本体内の導電部材とランプ保持ばねとの間の絶縁部材のため部品点数が増加し、また電気容量のアップ、端子の速結性能の向上および導電部材の一体化等のため導電部材が大きくなるとソケット本体が大型化するという欠点があった。
【０００４】
したがって、この発明の目的は、部品点数を低減し、ソケット本体を大型化することなく導電部材を大きくできるランプソケットおよび照明器具を提供することである。
【０００５】
【課題を解決するための手段】
請求項１記載のランプソケットは、ランプ口金より突出したランプピンを前面より挿着させる導電部材を収納したソケット本体と、このソケット本体の外側面および裏面に沿って装着されて両端部のランプ支持部が前記前面より前方に突出したコ字形であって前記ランプ支持部で前記ランプ口金を挟持するランプ保持ばねとを備え、
前記ランプ保持ばねは、前記両端部の先端に前記ランプ支持部を設け、前記両端部の先端から中間部寄りの両側に前記ソケット本体に装着するための一対の係止爪を有し、
前記ソケット本体は、前記外側面に前記ランプ保持ばねの前記両端部を沈める溝を形成し、前記溝の底面に前記一対の係止爪を抜け止め係止させる係止部を形成し、前記係止部に被さるように前記溝の両側縁に前記溝上に張り出す一対の押え片を形成し、前記一対の押さえ片の相互間隔を前記ランプ支持部の幅よりも大きくしたものである。
【０００６】
請求項１記載のランプソケットによれば、ランプ保持ばねをソケット本体の外側面に沿って裏面側から装着したため、ランプ保持ばねをソケット本体の組立後に組付けでき、ソケット本体の内部に収納する導電部材との絶縁が容易になるので従来に比べて部品点数を低減することができる。また導電部材が電気容量のアップ、端子の速結性能の向上および導電部材の一体化等で大きくなっても、従来の絶縁部材およびランプ保持ばねがソケット本体内にないので、内部スペースの同じソケット本体内に収納することができソケット本体を大型化しない。
【０００７】
請求項２記載のランプソケットは、請求項１において、前記ランプ保持ばねが前記ソケット本体の最大外側面よりも内側となるように前記ソケット本体に位置決めされたものである。
【０００８】
請求項２記載のランプソケットによれば、請求項１と同様な効果がある。
【０００９】
請求項３記載のランプソケットは、請求項１または請求項２において、前記一対の係止爪の間隔を前記ランプ支持部の幅よりも大きくしたものである。
【００１０】
請求項３記載のランプソケットによれば、請求項１または請求項２と同様な効果のほか、ランプ保持ばねは一対の係止爪がランプ支持部よりも外側になるため、ランプ着脱のときのランプ保持ばねの左右の振れが少なくランプの保持が安定する。また照明器具にランプソケットを取付けるとき等、ランプ保持ばねの一対の係止爪の間の部分が位置的に手が触れやすいが、係止爪が位置しないので手を損傷することがなく安全性が図れる。
【００１１】
請求項４記載のランプソケットは、請求項３において、前記ランプ保持ばねの二対の係止爪を前記ランプ保持ばねの中間部から同じ距離に設けたものである。
【００１２】
請求項４記載のランプソケットによれば、請求項３と同様な効果のほか、ランプ保持ばねの係止爪を二対同じ距離にしたため、ランプ保持ばねをボディへ組付けるときの荷重のピークがわかりやすく、係止部へ確実に組付けることができる。
【００１３】
請求項５記載のランプソケットは、請求項１または請求項２において、前記ランプ保持ばねの中間部を前記ソケット本体側に突出するように湾曲したものである。
【００１４】
請求項５記載のランプソケットによれば、請求項１または請求項２と同様な効果のほか、ランプ保持ばねの中間部をソケット本体に向けて凸となるように湾曲したため、係止爪の位置の寸法ばらつきおよび係止爪を係止するソケット本体の係止部の寸法ばらつきを吸収でき、ランプ保持ばねとソケット本体間のがたつきのないランプソケットを提供することができる。
【００１５】
請求項６記載のランプソケットは、請求項５において、前記ランプ保持ばねの前記中間部の幅をランプ支持部の幅より細くしたものである。
【００１６】
請求項６記載のランプソケットによれば、請求項５と同様な効果のほか、ランプ保持ばねの中間部を細くしたため、ランプ保持ばねの組付けのとき、湾曲した中間部がソケット本体に当たってからの押し込み荷重が小さく、組立がやりやすい。またソケット本体の表面を覆う領域が減るので例えば端子穴の区別のための端子番号等の表示を覆わなくできる。
【００１７】
請求項７記載の照明器具は、請求項１、請求項２、請求項３、請求項４、請求項５または請求項６記載のランプソケットを有するものである。
【００１８】
請求項７記載の照明器具によれば、請求項１、請求項２、請求項３、請求項４、請求項５または請求項６と同様な効果がある。
【００１９】
【発明の実施の形態】
この発明の一実施の形態を図１から図７により説明する。すなわち、このランプソケットは、例えば片口金蛍光灯ソケットであり、蛍光灯照明器具などの照明器具に適用される。
【００２０】
このランプソケットは、ソケット本体１と、ランプ保持ばね２とを有する。
【００２１】
ソケット本体１は、ランプ口金（図示せず）より突出したランプピン（図示せず）を前面より挿着させる導電部材３を収納している。実施の形態では、ソケット本体１が背面に開口４を有する箱形の樹脂製のボディ１１と、開口４を閉塞する樹脂製のカバー１２とで構成している。ボディ１１は、前面６にランプピン挿入穴５を有し、前面６のコーナより前方にガイド支柱７を突出している。また開口４内に仕切り板８を十字形に設け、仕切り板８間に導電部材位置決め部９を設け、これに開口４より挿入された導電部材３を位置決めし、ランプピン挿入穴５の内側に臨ませている。導電部材３はランプピンを挟持する一対の挟持片３１により形成し、速結端子２０を一体に設けている。また正面側および背面側の両側面の中央にランプ挿脱方向に延びるランプ保持ばね用の溝１０を形成し、溝１０の底部の両側にソケット本体１の前面側に延びる切欠状の凹段からなる係止部１３を形成し、また溝１０の開口縁部より外方に突出するとともに係止部１３の上に被さるように押え片１４を張出し、押え片１４のソケット本体１の底側に案内用の傾斜面１５を形成している。１６は取付孔、１７は取付台（図示せず）に回動自在に取付ける場合の軸受け凹部、１８はカバー取付孔である。
【００２２】
カバー１２はカバー取付孔１８に係止する取付爪１９を突設し、先端の爪をカバー取付孔１８に挿通してその孔縁に抜止め係止する。カバー１２には速結端子２０に接続するための電線挿入穴２１および電線解除穴２２を形成している。２３は導電部材３を位置決め部９に押える押え部、３３は端子番号である。
【００２３】
ランプ保持ばね２は、ソケット本体１の外側面および裏面に沿って装着されて両端のランプ支持部２５が前面より前方に突出したコ字形であって、ランプ支持部２５でランプ口金を挟持するものである。このランプ保持ばね２はソケット本体１の外側面の最大外側面Ｐ（図４参照）よりも内側となるように位置決めされるもので、ボディ１１の溝１０に通されている。ランプ保持ばね２の両端部２７にランプ口金を挟持するランプ支持部２５を有するとともに、両端部２７のそれぞれにおいてランプ支持部２５からカバー当接面となる中間部２８寄りの両側に、ソケット本体１に装着するための一対の係止爪２９を有し、一対の係止爪２９の間隔Ｌをランプ支持部２５の幅Ｌ１よりも大きくしている。また一対の係止爪２９はランプ保持ばね２の中間部２８から同じ距離ａ、ｂ（ａ＝ｂ）に設けている。実施の形態では係止爪２９が両端部２７の両側で先端がソケット本体１の底部に向きかつソケット本体１に向けて傾斜するように切起こされている。またランプ支持部２５の幅Ｌ１はボディ１１の押え片１４間の間隔よりも狭い。したがって、ソケット本体１のカバー１２を装着後にランプ保持ばね２をソケット本体１に装着するとき、ランプ保持ばね２の両端のランプ支持部２５が溝１０内を通り、係止爪２５が傾斜面１５に沿って溝１０の底面に押えられながら溝１０と押え片１４との間に挿入され、係止爪２５が係止部１３に抜止め係止する位置でランプ保持ばね２の中間部２８がカバー１２の表面に完全に密着する。一方、ランプ保持ばね２の中間部２８はソケット本体１側すなわちカバー１２に突出するように湾曲させ、かつ中間部２８の幅Ｍをランプ支持部２５の幅Ｌ１より細くしている。このため、中間部２８がカバー１２に当接して湾曲から平面状に延びることによるばね力で係止爪２９が係止部１３の端部１３ａに確実に係止する。
【００２４】
この実施の形態のランプソケットによれば、ランプ保持ばね２をソケット本体１の外側面に沿って裏面側から装着したため、ランプ保持ばね２をソケット本体１に後付けでき、ソケット本体１の内部に収納する導電部材３との絶縁が容易になるので部品点数を低減することができる。また導電部材３が電気容量のアップ、端子の速結性能の向上および導電部材３の一体化等で大きくなっても従来と比べて絶縁部材やランプ保持ばねがソケット本体内にないのでそのスペースを有効利用でき、ソケット本体１内の同じスペースで収納できる。
【００２５】
またランプ保持ばね２は一対の係止爪２９がランプ支持部２５よりも外側になるため、ランプ着脱のときのランプ保持ばね２の左右の振れが少なくランプの保持が安定する。また照明器具にランプソケットを取付けるとき等、ランプ保持ばね２の二対の係止爪２９の間の手の触れやすい部分Ｓに手が触れても係止爪等が位置しないので手の損傷を防止でき安全性が図れる。
【００２６】
さらにランプ保持ばね２の係止爪２９を２対同じ距離にしたため、ランプ保持ばね２をボディ１１へ組付けるときの荷重のピークがわかりやすく、係止部１３へ確実に組付けることができる。
【００２７】
ランプ保持ばね２の中間部２８をソケット本体１に向けて凸となるように湾曲したため、係止爪２９の位置の寸法ばらつきおよび係止爪２９を係止するソケット本体１の係止部２９の寸法ばらつきを吸収でき、ランプ保持ばね２とソケット本体１間のがたつきのないランプソケットを提供することができる。
【００２８】
ランプ保持ばね２の中間部２８を細くしたため、ランプ保持ばね２の組付けのとき、湾曲した中間部２８がソケット本体１に当たってからの押し込み荷重が小さく、組立がやりやすい。またソケット本体１の表面を覆う領域が減るので例えば端子穴の区別のための端子番号３３等の表示を覆わなくできる。
【００２９】
【発明の効果】
請求項１記載のランプソケットによれば、ランプ保持ばねをソケット本体の外側面に沿って裏面側から装着したため、ランプ保持ばねをソケット本体の組立後に組付けでき、ソケット本体の内部に収納する導電部材との絶縁が容易になるので従来に比べて部品点数を低減することができる。また導電部材が電気容量のアップ、端子の速結性能の向上および導電部材の一体化等で大きくなっても、従来の絶縁部材およびランプ保持ばねがソケット本体内にないので、内部スペースの同じソケット本体内に収納することができソケット本体を大型化しない。
【００３０】
請求項２記載のランプソケットによれば、請求項１と同様な効果がある。
【００３１】
請求項３記載のランプソケットによれば、請求項１または請求項２と同様な効果のほか、ランプ保持ばねは一対の係止爪がランプ支持部よりも外側になるため、ランプ着脱のときのランプ保持ばねの左右の振れが少なくランプの保持が安定する。また照明器具にランプソケットを取付けるとき等、ランプ保持ばねの一対の係止爪の間の部分が位置的に手が触れやすいが、係止爪が位置しないので手を損傷することがなく安全性が図れる。
【００３２】
請求項４記載のランプソケットによれば、請求項３と同様な効果のほか、ランプ保持ばねの係止爪を二対同じ距離にしたため、ランプ保持ばねをボディへ組付けるときの荷重のピークがわかりやすく、係止部へ確実に組付けることができる。
【００３３】
請求項５記載のランプソケットによれば、請求項１または請求項２と同様な効果のほか、ランプ保持ばねの中間部をソケット本体に向けて凸となるように湾曲したため、係止爪の位置の寸法ばらつきおよび係止爪を係止するソケット本体の係止部の寸法ばらつきを吸収でき、ランプ保持ばねとソケット本体間のがたつきのないランプソケットを提供することができる。
【００３４】
請求項６記載のランプソケットによれば、請求項５と同様な効果のほか、ランプ保持ばねの中間部を細くしたため、ランプ保持ばねの組付けのとき、湾曲した中間部がソケット本体に当たってからの押し込み荷重が小さく、組立がやりやすい。またソケット本体の表面を覆う領域が減るので例えば端子穴の区別のための端子番号等の表示を覆わなくできる。
【００３５】
請求項７記載の照明器具によれば、請求項１、請求項２、請求項３、請求項４、請求項５または請求項６と同様な効果がある。
【図面の簡単な説明】
【図１】この発明の一実施の形態の分解斜視図である。
【図２】組立状態のランプソケットの斜視図である。
【図３】（ａ）はランプ保持ばねの斜視図、（ｂ）はその係止状態の部分断面図である。
【図４】ランプソケットの平面図である。
【図５】ランプソケットの底面図である。
【図６】ランプソケットの正面図である。
【図７】（ａ）は右側面図、（ｂ）は左側面図である。
【符号の説明】
１    ソケット本体
２    ランプ保持ばね
３    導電部材
１０    溝
１１    ボディ
１２    カバー
１３    係止部
１４    押え片
２５    ランプ支持部
２７    両端部
２８    中間部
２９    係止爪
Ｌ    係止爪の間隔
Ｌ１    ランプ支持部の幅
Ｐ    最大外側面
Ｍ    中間部の幅
【図１】
0003850630.tif 000002
【図２】
0003850630.tif 000003
【図３】
0003850630.tif 000004
【図４】
0003850630.tif 000005
【図５】
0003850630.tif 000006
【図６】
0003850630.tif 000007
【図７】
0003850630.tif 000008